(57)【要約】【課題】床パンの端部が変形し難い床構造を提供する。【解決手段】床構造は、架台５と、床パン１と、壁載部材８１，８２とを具備している。架台５は、設置面９０に設置されている。壁載部材８１，８２は、床パン１の端部に取り付けられている。壁載部材８１，８２には、壁パネル６が載せられる。壁載部材８１，８２が架台５に載せられている。壁載部材８１，８２が架台５に取り付けられている。【選択図】図１
2017172242.tif 000002
【特許請求の範囲】
【請求項１】
設置面に設置された架台と、
床パンと、
前記床パンの端部に取り付けられており、壁パネルが載せられる壁載部材とを具備し、
前記壁載部材が前記架台に載せられており、
前記壁載部材が前記架台に取り付けられていることを特徴とする床構造。
【請求項２】
前記床パンは、
前記床パンの端部から下方に突出した取付部を備え、
前記壁載部材が前記取付部に取り付けられていることを特徴とする請求項１に記載の床構造。
【請求項３】
前記壁載部材は、
前記取付部の下方に配置された被取付部と、
前記被取付部と繋がっており、平面視で前記床パンよりも外側に突出し、前記壁パネルが載せられる壁載置部とを備え、
前記被取付部を上下方向に挿通した第１固着具により、前記被取付部が前記取付部に取り付けられており、
前記壁載置部を上下方向に貫通した第２固着具により、前記壁載置部が前記架台に取り付けられていることを特徴とする請求項２に記載の床構造。
【請求項４】
前記第２固着具の上方に、前記壁載置部に載せられた前記壁パネルが配置されていることを特徴とする請求項３に記載の床構造。
【発明の詳細な説明】
【技術分野】
【０００１】
本発明は、床構造に関する。
【背景技術】
【０００２】
特許文献１には、浴室の構造が開示されている。この構造は、パン部と、壁載置部と、架台とを具備している。パン部と壁載置部は別体であり、パン部の周囲に壁載置部が一体に成型された浴室用防水パンを切断することで得られる。壁載置部は、浴室の壁部が載置される部分である。
【０００３】
架台は、施工床部に設置されている。壁載置部は、架台上に配置され、架台にビスで取付け固定されている。パン部は架台に載置されている。パン部の底面側には、固定片が設けられている。固定片はビスで架台に連結されており、これによりパン部は架台に固定されている。
【先行技術文献】
【特許文献】
【０００４】
【特許文献１】特開２００９−８４８１７号公報
【発明の概要】
【発明が解決しようとする課題】
【０００５】
前記パン部の端部は、架台に載置されるが、架台に対しては取り付けられない。このため、パン部の上に人が載るなどした場合に、パン部の端部が変形しやすい。
【０００６】
本発明は前記事情に鑑みてなされたものであって、床パンの端部が変形し難い床構造を提供することを目的とする。
【課題を解決するための手段】
【０００７】
前記目的を達成するために本発明に係る一態様の床構造は、架台と、床パンと、壁載部材とを具備している。前記架台は、設置面に設置されている。前記壁載部材は、前記床パンの端部に取り付けられている。前記壁載部材には、前記壁パネルが載せられる。前記壁載部材が前記架台に載せられている。前記壁載部材が前記架台に取り付けられている。
【発明の効果】
【０００８】
本発明に係る一態様の床構造は、床パンの端部が変形し難い。
【図面の簡単な説明】
【０００９】
【図１】図１は、本発明に係る一実施形態の床構造であって、第１壁載部材が設けられた部分の拡大断面図である。
【図２】図２は、同上の床構造の第２壁載部材が設けられた部分の拡大断面図である。
【図３】図３は、同上の床構造に用いられる架台の設置状態を示した斜視図である。
【図４】図４は、同上の床構造の壁置部が設けられた部分の拡大断面図である。
【図５】図５は、同上の床構造に用いられる床パンの元になる原型の床パンの平面図である。
【図６】図６は、同上の原型の床パンを下側から見たときの斜視図である。
【発明を実施するための形態】
【００１０】
以下に示す実施形態は、床構造に関し、詳しくは、設置面に設置された架台により、床パンが支持される床構造に関する。
【００１１】
（概要）
図１および図２に示す本実施形態の床構造は、床パン１と、架台５と、２つの壁載部材８１，８２とを具備している。
【００１２】
本実施形態の床パン１は、ユニットルームの床を構成する。ユニットルームは、平面視矩形状である。ユニットルームは、例えばシャワールーム（浴室）として利用される。ユニットルームには、例えばシャワー装置が設けられる。
【００１３】
図３に示すように、ユニットルームが設置される設置面９０には、架台５が設置される。設置面９０は、例えばコンクリート製の床下地の上面である。
【００１４】
図１および図２に示すように、床パン１の端部には、２つの壁載部材８１，８２が取り付けられる。２つの壁載部材８１，８２は、架台５に設置される。これにより、床パン１の端部は、架台５で支持される。ユニットルームの四方の壁は、床パン１の外周縁部上に立てられる複数の壁パネル６で構成される。ユニットルームの天井は、複数の壁パネル６上に設置される天井パネル（図示せず）で構成される。
【００１５】
（架台）
図３に示すように、架台５は、支持フレーム５０と、支持フレーム５０に設けられた複数の脚５１とを備えている。
【００１６】
支持フレーム５０は、平面視矩形枠状に形成されている。支持フレーム５０は金属製であり、支持フレーム５０の各辺は、例えば角パイプから形成される。
【００１７】
支持フレーム５０には、複数の脚連結部５２が設けられている。本実施形態では、支持フレーム５０の対向する２辺の各々に、複数の脚連結部５２が設けられている。複数の脚連結部５２の各々は、図１に示すように、支持フレーム５０の下面から下方に突出したアジャスターナットで構成されている。
【００１８】
複数の脚５１は、複数の脚連結部５２にそれぞれ取り付けられている。複数の脚５１の各々は、支持フレーム５０から下方に向かって突出している。複数の脚５１は、設置面９０に設置されている。
【００１９】
複数の脚５１の各々は、アジャスターボルトで構成されている。各脚５１は、対応する脚連結部５２にねじ込まれて固定されている。
【００２０】
架台５を設置する作業者は、各脚５１の対応する脚連結部５２に対するねじ込み量を変更することで、支持フレーム５０の設置面９０に対する高さを変更でき、かつ、支持フレーム５０の上面を水平にできる。本実施形態の架台５は、設置面９０に設置された状態において、支持フレーム５０の上面が水平である。
【００２１】
（床パン）
床パン１は平面視矩形状である。床パン１は合成樹脂から形成されている。本実施形態の床パン１は、図５に示す原型の床パン１Ａを切断することで得られる。
【００２２】
（原型の床パン）
原型の床パン１Ａは、平面視矩形状である。原型の床パン１Ａは、注型成形や射出成形などによって形成される。原型の床パン１Ａは、平面視矩形状の床部２と、床部２の４辺２１〜２４の各々に形成された壁置部４とを具備している。床部２は、全体が洗い場の床として利用される。各壁置部４は、壁パネル６が載せられる部分である。
【００２３】
（床部）
床部２は、原型の床パン１Ａの主体を構成する。平面視矩形状の床部２は、４辺２１〜２４として、第１辺２１と、第２辺２２と、第３辺２３と、第４辺２４とを備えている。第２辺２２は、第１辺２１に垂直な辺であり、第１辺２１に隣接している。第３辺２３は第１辺２１に対向した辺であり、第１辺２１と平行である。第４辺２４は、第２辺２２に対向した辺であり、第２辺２２と平行である。
【００２４】
床部２は、第１辺２１よりも第２辺２２が長い。すなわち、床部２の長さ方向Ｄ１は、第２辺２２の長さ方向と平行であり、床部２の幅方向Ｄ２は、第１辺２１の長さ方向と平行である。
【００２５】
床部２の第１辺２１側の端部における第４辺２４側の端部には、床部２上の水を排出するための排水口２０が形成されている。
【００２６】
図６に示すように、床部２は、床本体部２５と、リブ２６とで構成されている。床本体部２５は、厚み方向が上下方向と平行な矩形板状である。床本体部２５の上面は、床部２の上面を構成している。床本体部２５の厚みは、床本体部２５の全体に亘って略同じである。
【００２７】
リブ２６は、床本体部２５から下方に向かって突出している。床部２はリブ２６によって補強されている。本実施形態のリブ２６は、格子状であり、床部２の下面全体に亘るように形成されている。
【００２８】
リブ２６は、複数の第１リブ２６１と、複数の第２リブ２６２とを有している。複数の第１リブ２６１は、床部２の幅方向Ｄ２に間隔を空けて並んでいる。複数の第１リブ２６１の各々は、床部２の長さ方向Ｄ１に延びている。各第１リブ２６１は、排水口２０の第３辺２３側に位置する第１リブ２６１を除き、床部２の長さ方向Ｄ１の全長に亘っている。
【００２９】
複数の第２リブ２６２は、床部２の長さ方向Ｄ１に間隔を空けて並んでいる。複数の第２リブ２６２の各々は、床部２の幅方向Ｄ２に延びている。各第２リブ２６２は、排水口２０の第２辺２２側に位置する第２リブ２６２を除き、床部２の幅方向Ｄ２の全長に亘っている。複数の第１リブ２６１と、複数の第２リブ２６２とは交差している。
【００３０】
図５に示すように、床部２は、第１部分３１と、平面視で第１部分３１と異なる位置に存在する第２部分３２とを備えている。本実施形態の床部２は、第１部分３１と第２部分３２とで構成されており、第１部分３１は、床部２において第２部分３２を除いた部分の全体である。
【００３１】
（第１部分）
第１部分３１は、床部２の第１辺２１の一部と、床部２の第４辺２４の一部とを含む。第１部分３１は、平面視形状が床部２の長さ方向Ｄ１に延びた矩形状である。第１部分３１の第２辺２２側の端は、第４辺２４よりも第２辺２２に近い。第１部分３１の第３辺２３側の端は、第１辺２１よりも第３辺２３に近い。
【００３２】
本実施形態の排水口２０は、第１部分３１の第１辺２１側の端部に位置し、かつ第１部分３１の第４辺２４側の端部に位置している。すなわち、排水口２０は、平面視矩形状の床部２において、第１辺２１と第４辺２４とが交わる頂点を含む隅部に形成されている。
【００３３】
第１部分３１の上面は、全体が排水口２０に向かって下り傾斜している。なお、図５では床部２の各部における傾斜方向を矢印で示している。
【００３４】
第１部分３１の上面は、第１部分３１上の水が排水口２０に向かって流れるように、全体が三次元的に傾斜しており、水平位置に応じて傾斜方向が変化している。
【００３５】
（第２部分）
第２部分３２は、第２辺２２の全体と第３辺２３の全体とを含む。すなわち、第２部分３２は、床部２において、第２辺２２の全長と第３辺２３の全長とに亘るように連続して形成されている。
【００３６】
第２部分３２は、平面視Ｌ字状である。第２部分３２は、床パン１を製作するときに切断される部分である。本実施形態の床パン１は、図５に示すように、原型の床パン１Ａの第２部分３２を第２辺２２および第３辺２３に沿って切断することで得られる。なお、図５では、第２辺２２に沿った切断ラインと、第３辺２３に沿った切断ラインとの各々を二点鎖線で示している。
【００３７】
第２部分３２の上面は、全体が第３辺２３から第１辺２１に向かって一方向に下り傾斜している。第２部分３２の上面の水平面に対する傾斜角度は、第２部分３２の上面の全体に亘って同じである。
【００３８】
上述のように、第２部分３２の上面が第３辺２３から第１辺２１に向かって一方向に下り傾斜しているため、第２部分３２上の水は、第１辺２１に向かって流下しやすい。また、床パン１Ａが、第２部分３２において第２辺２２に沿って切断されたときには、この切断面（すなわち、床部２の第４辺２４とは反対側の端面）の上縁は、第３辺２３から第１辺２１に向かって下り傾斜した一直線状となる。また、床パン１が第２部分３２において第３辺２３に沿って切断されたときには、この切断面（すなわち、床部２の第１辺２１とは反対側の端面）の上縁は、水平な一直線状となる。
【００３９】
（壁置部）
床部２の第１〜第４辺２１〜２４の各々に形成された壁置部４の構造は、図４に示す切断後の床パン１の壁置部４と同じ構造である。各壁置部４は、上方に開口した断面Ｕ字状に形成されている。各壁置部４は、第１縦片部４１と、横片部４２と、第２縦片部４３とを有している。
【００４０】
第１縦片部４１は、床部２の浴室外側の端部から下方に向かって突出している。横片部４２は、第１縦片部４１の下端部から水平面に沿って浴室外側に突出している。各壁置部４の横片部４２の下面は水平であり、全ての壁置部４は、横片部４２の下面が同じ高さに位置する。
【００４１】
第２縦片部４３は、横片部４２の浴室外側の端部から上方に向かって突出している。第２縦片部４３は、第１縦片部４１に対向している。第２縦片部４３の上端は、床部２の上面よりも下方に位置している。
【００４２】
各壁置部４には、上方に開口した溝部４６が形成されている。溝部４６は、第１縦片部４１と、横片部４２と、第２縦片部４３とで構成されている。
【００４３】
図６に示すように、原型の床パン１Ａの第２部分３２は、第２部分３２の下面に形成された取付部３３を有している。取付部３３は、壁載部材８１，８２（図１および図２参照）が取り付けられる部分である。
【００４４】
図５に示すように、床部２の第２部分３２は、形成領域３２１と、形成領域３２２とを有している。形成領域３２１は、床部２の第２辺２２側の端部であり、第２辺２２に対応する部分である。形成領域３２２は、床部２の第３辺２３側の端部であり、第３辺２３に対応する部分である。
【００４５】
形成領域３２１は、床部２の長さ方向Ｄ１の全長に亘っており、形成領域３２２は、床部２の幅方向Ｄ２の全長に亘っている。形成領域３２１の第３辺２３側の端部の領域と、形成領域３２２の第２辺２２側の端部の領域は重複している。
【００４６】
図６に示すように、本実施形態の取付部３３は、床パン１の形成領域３２１の下面に形成された第１取付部３３１と、床パン１の形成領域３２２の下面に形成された第２取付部３３２とを有している。
【００４７】
本実施形態の第１取付部３３１は、形成領域３２１の下面に形成された複数の第１突起３３１０を有している。複数の第１突起３３１０は、形成領域３２１において、複数の第１リブ２６１と複数の第２リブ２６２との交差部分にそれぞれ形成されている。
【００４８】
具体的に第１取付部３３１は、床部２の長さ方向Ｄ１に間隔を空けて並んだ複数の第１突起列３３１１を有しており、複数の第１突起列３３１１の各々は、床部２の幅方向Ｄ２に並んだ複数の第１突起３３１０で構成されている。本実施形態の第１突起列３３１１は、形成領域３２１において、形成領域３２２と重複する部分と重複しない部分との各々に形成されている。
【００４９】
第１取付部３３１を構成する複数の第１突起３３１０の各々は、下方に開口した円筒状のボスである。各第１突起３３１０の内周面には、雌ねじが形成されている。形成領域３２１に形成された全ての第１突起３３１０の下面は、同じ高さに位置しており、水平である。
【００５０】
本実施形態の第２取付部３３２は、形成領域３２２の下面に形成された複数の第２突起３３２０を有している。複数の第２突起３３２０は、形成領域３２２において、複数の第１リブ２６１と複数の第２リブ２６２との交差部分にそれぞれ形成されている。
【００５１】
具体的に第２取付部３３２は、床部２の幅方向Ｄ２に間隔を空けて並んだ複数の第２突起列３３２１を有しており、複数の第２突起列３３２１の各々は、床部２の長さ方向Ｄ１に並んだ複数の第２突起３３２０で構成されている。本実施形態の第２突起列３３２１は、形成領域３２２において、形成領域３２１と重複する部分と重複しない部分との各々に形成されている。形成領域３２２において第２辺２２側の端部の領域に形成された複数の第２突起列３３２１は、形成領域３２１において第３辺２３側の端部の領域に形成された複数の第１突起列３３１１を兼ねている。
【００５２】
形成領域３２２に形成された全ての第２突起３３２０の各々は、第１突起３３１０と形状および大きさが同じボスであり、各第２突起３３２０の内周面には、雌ねじが形成されている。各第２突起３３２０の下面は、第１突起３３１０の下面と同じ高さに位置しており、水平である。
【００５３】
作業者は、図５に示すように、床パン１の第２部分３２を第２辺２２に沿って切断し、かつ床パン１の第２部分３２を第３辺２３に沿って切断することで、本実施形態の床構造に用いられる床パン１（図１参照）を製作する。すなわち、この場合、床パン１は、形成領域３２１において床パン１の長さ方向の全長に亘って切断され、形成領域３２２において床パン１の幅方向の全長に亘って切断される。この床パン１Ａの切断は、例えば床パン１Ａが施工現場に搬送される前の工場などにおいて、電動丸鋸などの切断機を用いて行われる。
【００５４】
本実施形態の床構造に用いられる床パン１は、原型の床パン１Ａと基本的な構成が同じである。このため、以下では原型の床パン１Ａと共通する構成については共通の符号を付して説明を省略する。
【００５５】
床パン１のサイズは、原型の床パン１Ａよりもサイズが小さい。床パン１の床部２は、第２辺２２（図１参照）と第３辺２３（図２参照）との各々が切断面により構成されている。すなわち、床部２の第２辺２２を構成する端面の全体および第３辺２３を構成する端面の全体は、切断面である。
【００５６】
図１および図２に示すように、床部２の第２辺２２側の端部である切断端部と、第３辺２３側の端部である切断端部とには、２つの壁載部材８１，８２がそれぞれ取り付けられている。各壁載部材８１，８２の床パン１への取り付けは、例えば床パン１が施工現場に搬送される前の工場などにおいて行われる。本実施形態では、床パン１と、２つの壁載部材８１，８２とを具備した床パンユニット７が製作され、この床パンユニット７が施工現場に搬送されて、架台５に設置される。
【００５７】
（壁載部材）
図１および図２に示すように、２つの壁載部材８１，８２は、床パン１の第２辺２２側の切断端部と第３辺２３側の切断端部とにそれぞれ取り付けられている。２つの壁載部材８１，８２の各々は、例えば合成樹脂から形成される。各壁載部材８１，８２は、原型の床パン１Ａの切断により失われた壁置部４（図５参照）に代わる部材であり、各壁載部材８１，８２には壁パネル６が載せられる。
【００５８】
以下必要に応じて、壁載部材８１，８２のうち、床パン１の第２辺２２側の切断端部に取り付けられる一方の壁載部材８１を第１壁載部材８１といい、床パン１の第３辺２３側の切断端部に取り付けられる他方の壁載部材８２を第２壁載部材８２という。
【００５９】
図１に示す第１壁載部材８１は、床部２の第２辺２２に沿って延びており、第２辺２２の全長に亘っている。第１壁載部材８１は、床部２の第２辺２２側の切断端部において、床部２の長さ方向Ｄ１に並んだ複数の第１突起３３１０に取り付けられている。なお、第１壁載部材８１が取り付けられる複数の第１突起３３１０は、床パン１の形成領域３２１において最も第２辺２２に近い位置にある第１突起３３１０である。
【００６０】
第１壁載部材８１は、例えば押出成形品を加工することで製造される。第１壁載部材８１は、横板部８１０と、第１縦板部８１１と、第２縦板部８１２とを備えている。横板部８１０は、複数の第１突起３３１０の下面と平行な板状である。第１縦板部８１１は、横板部８１０の幅方向の中間部から上方に向かって突出している。第２縦板部８１２は、横板部８１０の浴室外側の端部から上方に向かって突出している。
【００６１】
横板部８１０において第１縦板部８１１よりも浴室内側に位置する部分は、床パン１の第１取付部３３１に取り付けられる被取付部８１３を構成している。被取付部８１３には、第１壁載部材８１の長さ方向に並んだ複数の皿穴８１４が形成されている。複数の皿穴８１４の各々は、被取付部８１３を上下方向に貫通している。
【００６２】
被取付部８１３は、複数の固着具９１により第１取付部３３１に取り付けられている。以下、複数の固着具９１の各々を第１固着具９１という。本実施形態の複数の第１固着具９１の各々は、ねじであり、詳しくは皿頭である。
【００６３】
被取付部８１３には、複数の皿穴８１４を通して複数の第１固着具９１が上下方向に挿通されている。これら複数の第１固着具９１は、複数の第１突起３３１０の雌ねじにそれぞれねじ込まれている。これにより、被取付部８１３は、上面が複数の第１突起３３１０の下面に接した状態で、床パン１に取り付けられている。
【００６４】
横板部８１０において被取付部８１３以外の部分（すなわち、第１縦板部８１１の浴室内側の面よりも浴室外側に位置する部分）は、壁パネル６が載せられる壁載置部８１５を構成している。
【００６５】
第１縦板部８１１は、床部２の第２辺２２側の切断端面に沿っている。すなわち、本実施形態の第１縦板部８１１は、壁載置部８１５から上方に突出し、平面視において、床部２の第２辺２２側の切断端面に沿って配置される突出部を構成している。
【００６６】
壁載置部８１５は被取付部８１３に一体に繋がっており、平面視で床部２よりも浴室外側に向かって突出している。
【００６７】
第１縦板部８１１および第２縦板部８１２は、横板部８１０に対して垂直な板状である。第１縦板部８１１は、第２縦板部８１２よりも背が高く、第１縦板部８１１の上端部は第２縦板部８１２よりも上方に突出している。本実施形態の第１縦板部８１１の上端部は、床部２の第２辺２２側の切断端部に接着剤９７を介して接着されている。
【００６８】
第１壁載部材８１には、上方に開口した溝部８１６が形成されている。溝部８１６は、第１縦板部８１１と、壁載置部８１５と、第２縦板部８１２とで構成されている。第１壁載部材８１の溝部８１６は、壁置部４の溝部４６（図４参照）と大きさおよび形状が略同じである。
【００６９】
図２に示す第２壁載部材８２は、床部２の第３辺２３に沿って延びており、第３辺２３の全長に亘っている。第２壁載部材８２は、床部２の第３辺２３側の切断端部において、床部２の幅方向Ｄ２に並んだ複数の第２突起３３２０に取り付けられている。なお、第２壁載部材８２が取り付けられる複数の第２突起３３２０は、形成領域３２２において最も第３辺２３に近い位置にある第２突起３３２０である。
【００７０】
第２壁載部材８２は、第１壁載部材８１と共通の構成を有する。このため、以下では、第２壁載部材８２において、第１壁載部材８１の各構成に対応する構成については、同一の名称を用いて重複する説明は省略する。
【００７１】
第２壁載部材８２は、第２壁載部材８２の長さ方向に亘って断面形状が同じであり、例えば押出成形により製造される。第２壁載部材８２の被取付部８２３は、第１壁載部材８１の被取付部８１３と同様に、複数の第１固着具９１によって複数の第２突起３３２０にそれぞれ取り付けられる。第２壁載部材８２の第１縦板部８２１の上端部は、床部２の第３辺２３側の切断端部に接着剤９７を介して接着されている。
【００７２】
（床パンユニットの設置）
上述の床パン１と２つの壁載部材８１，８２とを具備した床パンユニット７は、例えば以下のように設置されている。
【００７３】
図１、図２、および図４に示すように、床パンユニット７の各壁置部４の横片部４２、および各壁載部材８１，８２の横板部８１０，８２０は、架台５の支持フレーム５０の上面に載せられている。
【００７４】
各壁置部４の横片部４２は、図４に示すように、支持フレーム５０の上面に載せられている。各壁置部４の横片部４２には、複数の皿穴４４が形成されている。
【００７５】
各壁置部４の横片部４２は、複数の固着具９３により支持フレーム５０に取り付けられている。本実施形態の複数の固着具９３の各々は、ねじであり、詳しくは皿頭ねじである。各壁置部４の横片部４２には、複数の皿穴４４を通して複数の固着具９３が上方から挿通されている。各壁置部４の横片部４２に上下に挿通された複数の固着具９３は、支持フレーム５０にねじ込まれている。
【００７６】
図１および図２に示すように、各壁載部材８１，８２の壁載置部８１５，８２５には、複数の皿穴８１７，８２７が形成されている。各壁載部材８１，８２の壁載置部８１５，８２５は、複数の固着具９２により支持フレーム５０に取り付けられている。以下、複数の固着具９２の各々を第２固着具９２という。
【００７７】
本実施形態の各第２固着具９２は、ねじであり、詳しくは皿頭ねじである。各壁載部材８１，８２の壁載置部８１５，８２５には、複数の皿穴８１７，８２７を通して複数の第２固着具９２が上方から挿通されている。各壁載部材８１，８２の壁載置部８１５，８２５に上下に挿通された複数の第２固着具９２は、支持フレーム５０にねじ込まれている。
【００７８】
本実施形態の床パンユニット７は、上述したように、床パン１の端部に取り付けられた壁載部材８１，８２が架台５に取り付けられる。このため、床パン１の端部は、壁載部材８１，８２を介して架台５に強固に固定され、床パン１の端部の変形が抑制される。
【００７９】
（壁パネル）
図１、図２、および図４に示すように、床パンユニット７の各壁置部４および各壁載部材８１，８２には、壁パネル６が載せられている。各壁パネル６は、表面板６０と、断熱材６１とを備えている。表面板６０は、浴室の壁面を構成する表面部６２と、表面部６２の下縁部から水平面に沿って浴室外側に突出した縁片部６３と、縁片部６３の表面部６２とは反対側の端部から上方に向かって突出した起立片部６４とを有している。断熱材６１は、表面部６２の裏面（浴室外側の面）に貼り付けられている。
【００８０】
各壁置部４の溝部４６には、図４に示すように、対応する壁パネル６の下端部（表面板６０の下端部）が嵌め込まれている。各壁置部４の横片部４２には、対応する壁パネル６の縁片部６３が、パッキン６５を介して載せられている。各壁置部４の第２縦片部４３には、対応する壁パネル６の起立片部６４に取り付けられた掛止具６６が引っ掛けられて支持されている。各壁置部４に載せられた壁パネル６の表面部６２と、床部２の上面とで成す隅部には、シーリング材９５が充填されている。各壁置部４に載せられた壁パネル６の表面部６２と、床部２との間は、シーリング材９５によって封止されている。
【００８１】
図１および図２に示すように、各壁載部材８１，８２の溝部８１６，８２６には、対応する壁パネル６の表面板６０の下端部が嵌め込まれている。各壁載部材８１，８２の壁載置部８１５，８２５には、対応する壁パネル６の縁片部６３がパッキン６５を介して載せられている。
【００８２】
各壁載部材８１，８２の第２縦板部８１２，８２２には、対応する壁パネル６の起立片部６４に取り付けられた掛止具６６が引っ掛けられて支持されている。各壁載部材８１，８２に載せられた壁パネル６の表面部６２と、床部２の上面とで成す隅部には、シーリング材９５が充填されている。各壁載部材８１，８２に載せられた壁パネル６の表面部６２と、床部２との間は、シーリング材９５によって封止されている。
【００８３】
（補足）
上記実施形態の第１壁載部材８１および第２壁載部材８２のそれぞれの第１縦板部８１１，８２１の上端面は、床部２の対応する切断端面の上縁よりも低く、床部２の対応する切断端面の下縁よりも高い。しかし、第１壁載部材８１および第２壁載部材８２のそれぞれの第１縦板部８１１，８２１の上端面は、床部２の対応する切断端面よりも上方に位置してもよいし、床部２の対応する切断端面よりも下方に位置してもよい。また、第１壁載部材８１および第２壁載部材８２のそれぞれの第１縦板部８１１，８２１の上端面は、床部２の対応する切断端面の上縁と同じ高さに位置してもよい。
【００８４】
上記実施形態の床パン１の各第１突起３３１０および各第２突起３３２０には、雌ねじが形成されなくてもよい。この場合、各第１突起３３１０および各第２突起３３２０にねじ込まれる第１固着具９１としては、例えばタッピングねじが用いられる。
【００８５】
上記実施形態の床パン１の床部２は、第１辺２１よりも第２辺２２が長い平面視長方形状であるが、第１辺２１よりも第２辺２２が短い平面視長方形状であってもよい。また、床部２は、平面視正方形状であってもよい。
【００８６】
上記実施形態の床パン１は、床部２の全体が第１部分３１と第２部分３２とで構成されているが、床部２の一部のみが、第１部分３１と第２部分３２とで構成されてもよい。
【００８７】
上記実施形態の取付部３３は、第１取付部３３１と第２取付部３３２とのうちの一方のみを有してもよい。すなわち、取付部３３は、第１取付部３３１と第２取付部３３２とのうちの少なくとも一方を有していればよい。
【００８８】
上記実施形態の床パン１は、原型の床パン１Ａを第２部分３２において床部２の長さ方向Ｄ１にのみ切断された床パンであってもよいし、第２部分３２において床部２の幅方向Ｄ２にのみ切断された床パンであってもよい。
【００８９】
床パン１が、床パン１Ａの第２部分３２を床部２の長さ方向Ｄ１にのみ切断することで得られた床パンである場合、切断後の床パンには第１壁載部材８１と第２壁載部材８２のうち、第１壁載部材８１のみが取り付けられる。床パン１が、床パン１Ａの第２部分３２を床部２の幅方向Ｄ２にのみ切断された床パンである場合、切断後の床パンには第１壁載部材８１と第２壁載部材８２のうち、第２壁載部材８２のみが取り付けられる。
【００９０】
上記実施形態の各壁載部材８１，８２の壁載置部８１５，８２５や、各壁置部４の横片部４２には、パッキン６５を介さずに直接壁パネル６が載せられてもよい。
【００９１】
また、この他、本実施形態の床パン１は適宜設計変更可能である。
【００９２】
（効果）
以下、上述した実施形態に示した床構造の構成および効果について説明する。
【００９３】
第１の態様の床構造は、以下の構成を有する。床構造は、架台５と、床パン１と、壁載部材８１，８２とを具備している。架台５は、設置面９０に設置されている。壁載部材８１，８２は、床パン１の端部に取り付けられている。壁載部材８１，８２には、壁パネル６が載せられる。壁載部材８１，８２が架台５に載せられている。壁載部材８１，８２が架台５に取り付けられている。
【００９４】
上述した構成を有する第１の態様の床構造によれば、床パン１の端部に取り付けられた壁載部材８１，８２が、架台５に取り付けられており、床パン１の端部が架台５に対して強固に固定される。このため、床パン１に人が載るなどした場合に、床パン１に下向きの荷重が加わっても、床パン１の端部が変形しにくい。
【００９５】
第２の態様の床構造は、第１の態様の床構造において以下の付加的な構成を有する。
床パン１は、床パン１の端部から下方に突出した取付部３３を備えている。壁載部材８１，８２が取付部３３に取り付けられている。
【００９６】
上述した構成を有する第２の態様の床構造によれば、取付部３３を利用して、床パン１の端部に壁載部材８１，８２を取り付けることができる。また、床パン１の端部から下方に突出した取付部３３により、床パン１の端部が補強されるため、床パン１の端部の変形が一層抑制される。
【００９７】
第３の態様の床構造は、第２の態様の床構造において以下の付加的な構成を有する。壁載部材８１，８２は、被取付部８１３，８２３と、壁載置部８１５，８２５とを備えている。被取付部８１３，８２３は、取付部３３の下方に配置されている。壁載置部８１５，８２５は、被取付部８１３，８２３と繋がっており、平面視で床パン１よりも外側に突出している。壁載置部８１５，８２５には、壁パネル６が載せられている。被取付部８１３，８２３を上下方向に挿通した第１固着具９１により、被取付部８１３，８２３が取付部３３に取り付けられている。壁載置部８１５，８２５を上下方向に貫通した第２固着具９２により、壁載置部８１５，８２５が架台５に取り付けられている。
【００９８】
上述した構成を有する第３の態様の床構造によれば、被取付部８１３，８２３を第１固着具９１を用いて取付部３３に取り付けることで、壁載部材８１，８２を床パン１に取り付けることができる。
【００９９】
第４の態様の床構造は、第３の態様の床構造において以下の付加的な構成を有する。第２固着具９２の上方に、壁載置部８１５，８２５に載せられた壁パネル６が配置されている。
【０１００】
上述した構成を有する第４の態様の床構造によれば、壁パネル６によって第２固着具９２を覆い隠すことができ、見栄えが良い。
【符号の説明】
【０１０１】
１  床パン
３３  取付部
５  架台
６  壁パネル
８１  第１壁載部材
８１３  被取付部
８１５  壁載置部
８２  第２壁載部材
８２３  被取付部
８２５  壁載置部
９  設置面
９１  第１固着具
９２  第２固着具
【図１】
2017172242.tif 000003
【図２】
2017172242.tif 000004
【図３】
2017172242.tif 000005
【図４】
2017172242.tif 000006
【図５】
2017172242.tif 000007
【図６】
2017172242.tif 000008